【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
液体の滴を吐出するノズルを用紙の幅方向に並べたライン型液体吐出ヘッドを備える画像形成装置において、
前記ライン型液体吐出ヘッドは、同じ色の液滴を吐出する複数のノズルを並べた複数のノズル列を有し、
前記用紙は、前記液体の一部を用紙内部へ浸透転移し、浸透転移しない残りの液体を大気中へ乾燥させて定着させる用紙であり、
１つのノズル列から吐出された液体が、前記用紙への液体浸透転移が飽和し、大気中への乾燥を飽和する前に、前記1つのノズル列に隣接する他のノズル列から液体の吐出を行って画像を記録する
ことを特徴とする画像形成装置。
【請求項２】
請求項１に記載の画像形成装置において、前記ライン型液体吐出ヘッドは、同じ色の液滴を吐出する複数のノズルを並べたノズル列を有する複数のヘッドユニットで構成されていることを特徴とする画像形成装置。
【請求項３】
請求項２に記載の画像形成装置において、使用する用紙への液体の浸透転移が飽和する液体転移量飽和時間Ｔ２が、基準用紙への液体の浸透転移が飽和する液体転移量飽和時間Ｔ１と異なるときに、前記ヘッドユニット間距離を変更して記録を行うことを特徴とする画像形成装置。
【請求項４】
請求項１又は２に記載の画像形成装置において、使用する用紙への液体の浸透転移が飽和する液体転移量飽和時間Ｔ２が、基準用紙への液体の浸透転移が飽和する液体転移量飽和時間Ｔ１と異なるときに、使用する用紙への液体の浸透転移が飽和する液体転移量飽和時間Ｔ２に応じて、使用する用紙についての用紙搬送速度及びヘッド駆動周波数を変更して記録を行うことを特徴とする画像形成装置。
【請求項５】
請求項１又は２に記載の画像形成装置において、使用する用紙への液体の浸透転移が飽和する液体転移量飽和時間Ｔ２が、基準用紙への液体の浸透転移が飽和する液体転移量飽和時間Ｔ１と異なるときに、使用する用紙への液体の浸透転移が飽和する液体転移量飽和時間Ｔ２に応じて、使用する用紙についてのヘッド走査速度及びヘッド駆動周波数を変更して記録を行うことを特徴とする画像形成装置。
【請求項６】
請求項３ないし５のいずれかに記載の画像形成装置において、外部からの指定又は使用する用紙の種別の判別結果に基づいて前記変更を行うことを特徴とする画像形成装置。
【請求項７】
請求項３ないし６のいずれかに記載の画像形成装置において、前記基準用紙への液体転移量飽和時間Ｔ１は、商業・出版印刷用塗工紙に対する顔料系インクの転移量飽和時間とすることを特徴とする画像形成装置。
【請求項８】
請求項７に記載の画像形成装置において、前記商業・出版印刷用塗工紙とは、支持体と、該支持体の少なくとも一方の面に塗工層を有してなり、２３℃５０％ＲＨにて動的走査吸液計で測定した接触時間１００ｍｓにおける純水の転移量が４〜２６ｍｌ／ｍ２であり、かつ、接触時間４００ｍｓにおける純水の転移量が５〜２９ｍｌ／ｍ２である記録用メディアであることを特徴とする画像形成装置。
【請求項９】
請求項７又は８に記載の画像形成装置において、前記顔料系インクとは、表面張力１５ｍＮ／ｍ以上３５ｍＮ／ｍ以下の顔料系インクであることを特徴とする画像形成装置。
【請求項１０】
請求項７ないし９のいずれかに記載の画像形成装置において、前記顔料系インクは、下記一般式（Ａ）で表わされるフッ素系界面活性剤を含有することを特徴とする画像形成装置。
【化１】
2008100485.tif 000001
ただし、上記一般式（Ａ）中、ｍは、０〜１０の整数を表す。ｎは、０〜４０の整数を表す。
【請求項１１】
請求項１ないし１０のいずれかに記載の画像形成装置において、記録方向のドット配置に対して奇数列のドットと偶数列のドットを半解像度分だけ記録位置をずらして記録することを特徴とする画像形成装置。
【請求項１２】
請求項１１に記載の画像形成装置において、外部からの指定又は使用する用紙の種別の判別結果に応じて半解像度分記録位置をずらした記録動作を行うことを特徴とする画像形成装置。
【請求項１３】
液体の滴を吐出するノズルを用紙の幅方向に並べたライン型液体吐出ヘッドを用いて画像を形成する画像形成方法において、
前記ライン型液体吐出ヘッドは、同じ色の液滴を吐出する複数のノズルを並べた複数のノズル列を有し、
前記用紙は、前記液体の一部を用紙内部へ浸透転移し、浸透転移しない残りの液体を大気中へ乾燥させて定着させる用紙であり、
１つのノズル列から吐出された液体が、前記用紙への液体浸透転移が飽和し、大気中への乾燥を飽和する前に、前記1つのノズル列に隣接する他のノズル列から液体の吐出を行って画像を記録する
ことを特徴とする画像形成方法。
【請求項１４】
請求項１３に記載の画像形成方法において、前記ライン型液体吐出ヘッドは、同じ色の液滴を吐出する複数のノズルを並べたノズル列を有する複数のヘッドユニットで構成されていることを特徴とする画像形成方法。
【請求項１５】
請求項１４に記載の画像形成方法において、使用する用紙への液体の浸透転移が飽和する液体転移量飽和時間Ｔ２が、基準用紙への液体の浸透転移が飽和する液体転移量飽和時間Ｔ１と異なるときに、前記ヘッドユニット間距離を変更して記録を行うことを特徴とする画像形成方法。
【請求項１６】
請求項１３又は１４に記載の画像形成方法において、使用する用紙への液体の浸透転移が飽和する液体転移量飽和時間Ｔ２が、基準用紙への液体の浸透転移が飽和する液体転移量飽和時間Ｔ１と異なるときに、使用する用紙への液体の浸透転移が飽和する液体転移量飽和時間Ｔ２に応じて、使用する用紙についての用紙搬送速度及びヘッド駆動周波数を変更して記録を行うことを特徴とする画像形成方法。
【請求項１７】
請求項１３又は１４に記載の画像形成方法において、使用する用紙への液体の浸透転移が飽和する液体転移量飽和時間Ｔ２が、基準用紙への液体の浸透転移が飽和する液体転移量飽和時間Ｔ１と異なるときに、使用する用紙への液体の浸透転移が飽和する液体転移量飽和時間Ｔ２に応じて、使用する用紙についてのヘッド走査速度及びヘッド駆動周波数を変更して記録を行うことを特徴とする画像形成方法。
【請求項１８】
請求項１３ないし１７のいずれかに記載の画像形成方法において、外部からの指定又は使用する用紙の種別の判別結果に基づいて前記変更を行うことを特徴とする画像形成方法。
【請求項１９】
請求項１５ないし１８のいずれかに記載の画像形成方法において、前記基準用紙への液体転移量飽和時間Ｔ１は、商業・出版印刷用塗工紙に対する顔料系インクの転移量飽和時間とすることを特徴とする画像形成方法。
【請求項２０】
請求項１９に記載の画像形成方法において、前記商業・出版印刷用塗工紙とは、支持体と、該支持体の少なくとも一方の面に塗工層を有してなり、２３℃５０％ＲＨにて動的走査吸液計で測定した接触時間１００ｍｓにおける純水の転移量が４〜２６ｍｌ／ｍ２であり、かつ、接触時間４００ｍｓにおける純水の転移量が５〜２９ｍｌ／ｍ２である記録用メディアであることを特徴とする画像形成方法。
【請求項２１】
請求項１９又は２０に記載の画像形成方法において、前記顔料系インクとは、表面張力１５ｍＮ／ｍ以上３５ｍＮ／ｍ以下の顔料系インクであることを特徴とする画像形成方法。
【請求項２２】
請求項１９ないし２１のいずれかに記載の画像形成方法において、前記顔料系インクは、下記一般式（Ａ）で表わされるフッ素系界面活性剤を含有することを特徴とする画像形成方法。
【化２】
2008100485.tif 000002
ただし、上記一般式（Ａ）中、ｍは、０〜１０の整数を表す。ｎは、０〜４０の整数を表す。
【請求項２３】
請求項１３ないし２２のいずれかに記載の画像形成方法において、記録方向のドット配置に対して奇数列のドットと偶数列のドットを半解像度分だけ記録位置をずらして記録することを特徴とする画像形成方法。
【請求項２４】
請求項２３に記載の画像形成方法において、外部からの指定又は使用する用紙の種別の判別結果に応じて半解像度分記録位置をずらした記録動作を行うことを特徴とする画像形成方法。
【手続補正２】
【補正対象書類名】明細書
【補正対象項目名】発明の名称
【補正方法】変更
【補正の内容】
【発明の名称】画像形成装置及び画像形成方法
【手続補正３】
【補正対象書類名】明細書
【補正対象項目名】０００１
【補正方法】変更
【補正の内容】
【０００１】
本発明は画像形成装置及び画像形成方法に関する。
【手続補正４】
【補正対象書類名】明細書
【補正対象項目名】００１４
【補正方法】変更
【補正の内容】
【００１４】
そこで、特許文献２には、ラインヘッドの上流側に位置し、記録媒体の非記録面側から記録媒体を加熱乾燥させる第１の乾燥手段と、ラインヘッドの下流側に位置し、印刷後の記録媒体の非記録面側から記録媒体を加熱乾燥させる第２の乾燥手段と、第２の乾燥手段と対向した位置に設けられ、記録媒体の記録面側から非接触で記録媒体を加熱乾燥させる第３の乾燥手段とを備えて、用紙を暖めることで乾燥速度を高めることが記載されている。
【特許文献２】特開２００５−００１３
【手続補正５】
【補正対象書類名】明細書
【補正対象項目名】００１８
【補正方法】変更
【補正の内容】
【００１８】
上記の課題を解決するため、本発明に係る画像形成装置は、
液体の滴を吐出するノズルを用紙の幅方向に並べたライン型液体吐出ヘッドを備える画像形成装置において、
前記ライン型液体吐出ヘッドは、同じ色の液滴を吐出する複数のノズルを並べた複数のノズル列を有し、
前記用紙は、前記液体の一部を用紙内部へ浸透転移し、浸透転移しない残りの液体を大気中へ乾燥させて定着させる用紙であり、
１つのノズル列から吐出された液体が、前記用紙への液体浸透転移が飽和し、大気中への乾燥を飽和する前に、前記1つのノズル列に隣接する他のノズル列から液体の吐出を行って画像を記録する
構成とした。
【手続補正６】
【補正対象書類名】明細書
【補正対象項目名】００１９
【補正方法】変更
【補正の内容】
【００１９】
ここで、前記ライン型液体吐出ヘッドは、同じ色の液滴を吐出する複数のノズルを並べたノズル列を有する複数のヘッドユニットで構成されている構成とできる。
【手続補正７】
【補正対象書類名】明細書
【補正対象項目名】００２０
【補正方法】変更
【補正の内容】
【００２０】
この場合、使用する用紙への液体の浸透転移が飽和する液体転移量飽和時間Ｔ２が、基準用紙への液体の浸透転移が飽和する液体転移量飽和時間Ｔ１と異なるときに、前記ヘッドユニット間距離を変更して記録を行う構成とできる。
【手続補正８】
【補正対象書類名】明細書
【補正対象項目名】００２１
【補正方法】変更
【補正の内容】
【００２１】
また、使用する用紙への液体の浸透転移が飽和する液体転移量飽和時間Ｔ２が、基準用紙への液体の浸透転移が飽和する液体転移量飽和時間Ｔ１と異なるときに、使用する用紙への液体の浸透転移が飽和する液体転移量飽和時間Ｔ２に応じて、使用する用紙についての用紙搬送速度及びヘッド駆動周波数を変更して記録を行う構成とできる。
【手続補正９】
【補正対象書類名】明細書
【補正対象項目名】００２２
【補正方法】変更
【補正の内容】
【００２２】
また、使用する用紙への液体の浸透転移が飽和する液体転移量飽和時間Ｔ２が、基準用紙への液体の浸透転移が飽和する液体転移量飽和時間Ｔ１と異なるときに、使用する用紙への液体の浸透転移が飽和する液体転移量飽和時間Ｔ２に応じて、使用する用紙についてのヘッド走査速度及びヘッド駆動周波数を変更して記録を行う構成とできる。
【手続補正１０】
【補正対象書類名】明細書
【補正対象項目名】００２３
【補正方法】変更
【補正の内容】
【００２３】
また、外部からの指定又は使用する用紙の種別の判別結果に基づいて前記変更を行う構成とできる。
【手続補正１１】
【補正対象書類名】明細書
【補正対象項目名】００２４
【補正方法】変更
【補正の内容】
【００２４】
また、前記基準用紙への液体転移量飽和時間Ｔ１は、商業・出版印刷用塗工紙に対する顔料系インクの転移量飽和時間とする構成とできる。前記商業・出版印刷用塗工紙とは、支持体と、該支持体の少なくとも一方の面に塗工層を有してなり、２３℃５０％ＲＨにて動的走査吸液計で測定した接触時間１００ｍｓにおける純水の転移量が４〜２６ｍｌ／ｍ２であり、かつ、接触時間４００ｍｓにおける純水の転移量が５〜２９ｍｌ／ｍ２である記録用メディアである。
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】削除
【補正の内容】
【手続補正１９】
【補正対象書類名】明細書
【補正対象項目名】００３５
【補正方法】変更
【補正の内容】
【００３５】
本発明に係る画像形成方法は、
液体の滴を吐出するノズルを用紙の幅方向に並べたライン型液体吐出ヘッドを用いて画像を形成する画像形成方法において、
前記ライン型液体吐出ヘッドは、同じ色の液滴を吐出する複数のノズルを並べた複数のノズル列を有し、
前記用紙は、前記液体の一部を用紙内部へ浸透転移し、浸透転移しない残りの液体を大気中へ乾燥させて定着させる用紙であり、
１つのノズル列から吐出された液体が、前記用紙への液体浸透転移が飽和し、大気中への乾燥を飽和する前に、前記1つのノズル列に隣接する他のノズル列から液体の吐出を行って画像を記録する
構成とした。
【手続補正２０】
【補正対象書類名】明細書
【補正対象項目名】００３６
【補正方法】変更
【補正の内容】
【００３６】
ここで、前記ライン型液体吐出ヘッドは、同じ色の液滴を吐出する複数のノズルを並べたノズル列を有する複数のヘッドユニットで構成されている構成とできる。
【手続補正２１】
【補正対象書類名】明細書
【補正対象項目名】００３７
【補正方法】変更
【補正の内容】
【００３７】
この場合、使用する用紙への液体の浸透転移が飽和する液体転移量飽和時間Ｔ２が、基準用紙への液体の浸透転移が飽和する液体転移量飽和時間Ｔ１と異なるときに、前記ヘッドユニット間距離を変更して記録を行う構成とできる。
【手続補正２２】
【補正対象書類名】明細書
【補正対象項目名】００３８
【補正方法】変更
【補正の内容】
【００３８】
また、使用する用紙への液体の浸透転移が飽和する液体転移量飽和時間Ｔ２が、基準用紙への液体の浸透転移が飽和する液体転移量飽和時間Ｔ１と異なるときに、使用する用紙への液体の浸透転移が飽和する液体転移量飽和時間Ｔ２に応じて、使用する用紙についての用紙搬送速度及びヘッド駆動周波数を変更して記録を行うこうせいとできる。
【手続補正２３】
【補正対象書類名】明細書
【補正対象項目名】００３９
【補正方法】変更
【補正の内容】
【００３９】
また、使用する用紙への液体の浸透転移が飽和する液体転移量飽和時間Ｔ２が、基準用紙への液体の浸透転移が飽和する液体転移量飽和時間Ｔ１と異なるときに、使用する用紙への液体の浸透転移が飽和する液体転移量飽和時間Ｔ２に応じて、使用する用紙についてのヘッド走査速度及びヘッド駆動周波数を変更して記録を行う構成とできる。
【手続補正２４】
【補正対象書類名】明細書
【補正対象項目名】００４０
【補正方法】変更
【補正の内容】
【００４０】
また、外部からの指定又は使用する用紙の種別の判別結果に基づいて前記変更を行う構成とできる。
【手続補正２５】
【補正対象書類名】明細書
【補正対象項目名】００４１
【補正方法】変更
【補正の内容】
【００４１】
また、前記基準用紙への液体転移量飽和時間Ｔ１は、商業・出版印刷用塗工紙に対する顔料系インクの転移量飽和時間とする構成とできる。前記商業・出版印刷用塗工紙とは、支持体と、該支持体の少なくとも一方の面に塗工層を有してなり、２３℃５０％ＲＨにて動的走査吸液計で測定した接触時間１００ｍｓにおける純水の転移量が４〜２６ｍｌ／ｍ２であり、かつ、接触時間４００ｍｓにおける純水の転移量が５〜２９ｍｌ／ｍ２である記録用メディアである。
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】
【手続補正３１】
【補正対象書類名】明細書
【補正対象項目名】００５０
【補正方法】削除
【補正の内容】
【手続補正３２】
【補正対象書類名】明細書
【補正対象項目名】００５１
【補正方法】削除
【補正の内容】
【手続補正３３】
【補正対象書類名】明細書
【補正対象項目名】００５２
【補正方法】削除
【補正の内容】
【手続補正３４】
【補正対象書類名】明細書
【補正対象項目名】００５３
【補正方法】変更
【補正の内容】
【００５３】
本発明に係る画像形成装置、本発明に係る画像形成方法によれば、ライン型液体吐出ヘッドは、同じ色の液滴を吐出する複数のノズルを並べた複数のノズル列を有し、用紙は、液体の一部を用紙内部へ浸透転移し、浸透転移しない残りの液体を大気中へ乾燥させて定着させる用紙であり、１つのノズル列から吐出された液体が、用紙への液体浸透転移が飽和し、大気中への乾燥を飽和する前に、1つのノズル列に隣接する他のノズル列から液体の吐出を行って画像を記録する構成としたので、ドットの重複部分を足掛かりに発生するビーディングを抑制することができる。
【手続補正３５】
【補正対象書類名】明細書
【補正対象項目名】０３０６
【補正方法】変更
【補正の内容】
【０３０６】
このように、この画像形成装置におけるライン型液体吐出ヘッドは、同じ色の液滴を吐出する複数のノズルを並べた複数のノズル列を有し、基準用紙への液体転移量飽和時間をＴ１、用紙搬送速度をＶ１とするとき、各ノズル列の間隔（ノズル列間距離）Ｌ１が、Ｌ１＝Ｔ１×Ｖ１であるので、インクなどの液体が用紙に転移する十分な時間を確保でき、ドットの重複部分を足掛かりに発生するビーディングを抑制することができる。
つまり、ライン型液体吐出ヘッドは、同じ色の液滴を吐出する複数のノズルを並べた複数のノズル列を有し、用紙は、液体の一部を用紙内部へ浸透転移し、浸透転移しない残りの液体を大気中へ乾燥させて定着させる用紙であり、１つのノズル列から吐出された液体が、用紙への液体浸透転移が飽和し、大気中への乾燥を飽和する前に、1つのノズル列に隣接する他のノズル列から液体の吐出を行って画像を記録する構成とすることで、ドットの重複部分を足掛かりに発生するビーディングを抑制することができる。